(57)【要約】【課題】アノード不純物ガスパージを行う頻度を低減して、燃料電池システムの燃料利用効率を向上させる。【解決手段】燃料極１ａに供給された燃料ガスと空気極１ｂに供給された空気中の酸素との電気化学反応により発電する燃料電池スタック１と、燃料電池スタック１の燃料極１ａから排出された排出水素を燃料極１ａに循環させるための循環経路Ｌ２及び循環手段１６と、燃料極１ａに燃料ガスを供給する供給経路Ｌ１及び循環経路Ｌ２を含むアノード系から排出水素を外部に排出するパージ弁１７と、パージ弁１７の開度を制御するパージ弁制御手段３と、燃料極１ａに供給される燃料ガス中の窒素分圧を検知する燃料極窒素分圧検知手段３と、空気極１ｂに供給される空気中の窒素分圧を検知する空気極窒素分圧検知手段３と、を備え、空気中の窒素分圧が燃料ガス中の窒素分圧以上になる運転領域で、パージ弁制御手段３がパージ弁を開放する。【選択図】図１
2010287320.tif 000002
【特許請求の範囲】
【請求項１】
燃料極に供給された燃料ガスと空気極に供給された空気中の酸素との電気化学反応により発電する燃料電池スタックと、
前記燃料電池スタックの燃料極から排出された排出水素を前記燃料極に循環させるための循環経路及び循環手段と、
燃料極に燃料ガスを供給する供給経路及び前記循環経路を含むアノード系から前記排出水素を外部に排出するパージ弁と、
前記パージ弁の開度を制御するパージ弁制御手段と、
前記燃料極に供給される燃料ガス中の窒素分圧を検知する燃料極窒素分圧検知手段と、
前記空気極に供給される空気中の窒素分圧を検知する空気極窒素分圧検知手段と、
を備え、
前記空気中の窒素分圧が前記燃料ガス中の窒素分圧以上になる運転領域で、前記パージ弁制御手段が前記パージ弁を開放することを特徴とする燃料電池システム。
【請求項２】
燃料ガスの目標圧力を設定し、その目標圧力となるように燃料ガス圧力を制御する燃料ガス圧力制御手段をさらに備え、
前記燃料ガス圧力制御手段は、前記燃料ガスの目標圧力を、燃料電池スタックに要求される発電量を実現するのに必要な圧力以上に設定することを特徴とする請求項１に記載の燃料電池システム。
【請求項３】
前記燃料ガス圧力制御手段は、前記燃料ガスの目標圧力を、前記燃料電池スタックを含むアノード系の部品の耐圧強度以下になるように設定することを特徴とする請求項１または２に記載の燃料電池システム。
【請求項４】
前記燃料ガス圧力制御手段は、前記燃料ガスの目標圧力を、前記燃料電池スタックの電解質膜の許容膜間差圧以下となるように設定することを特徴とする請求項３に記載の燃料電池システム。
【請求項５】
前記アノード系内のガス温度であるアノードガス温度を検知するアノードガス温度検知手段をさらに備え、
前記燃料ガス圧力制御手段は、前記アノードガス温度が高いほど前記燃料ガスの目標圧力を高く設定することを特徴とする請求項３または４に記載の燃料電池システム。
【請求項６】
前記アノード系内のガスの湿度であるアノードガス湿度を検知するアノードガス湿度検知手段をさらに備え、
前記燃料ガス圧力制御手段は、前記アノードガス湿度が高いほど前記燃料ガスの目標圧力を高く設定することを特徴とする請求項３から５のいずれか一つに記載の燃料電池システム。
【発明の詳細な説明】
【技術分野】
【０００１】
本発明は、燃料電池システムに関し、特に、不純物を含む水素ガスの排出システムを備える燃料電池システムに関する。
【背景技術】
【０００２】
車両の駆動源として用いられる燃料電池として、固体高分子電解質膜の両側にアノードとカソードを備え、アノードに燃料ガスとしての水素ガスを、カソードに酸化剤ガスとしての空気をそれぞれ供給して、これらの酸化還元反応により生じるエネルギを電気エネルギとして取り出すものが知られている。
【０００３】
このような燃料電池において、カソードに供給された空気中の窒素に一部は、固体高分子電解質膜を透過して、アノード側で水素ガスに混入する。また、当該酸化還元反応によりカソード側で生成された水の一部も、固体高分子電解質膜を透過して、アノード側へ侵入する。これらの水分や窒素等といった不純物は、燃料電池の発電を不安定にする要因となる。
【０００４】
そこで、特許文献１では、不純物を含む水素ガスを、水素循環流路中に設けた排出弁から燃料電池システム外部へ排出する不純物パージ制御を実行することによって、水素ガス中の不純物濃度を低減させている。ここでは、不純物パージ制御を実行する時間を、水素循環流路内と排出弁下流側との圧力差等の発電状態に応じて設定することで、水素ガスの排出量を、発電状態に応じた過不足のない量にすることを目的としている。
【先行技術文献】
【特許文献】
【０００５】
【特許文献１】特開２００５−１４１９７７号公報
【発明の概要】
【発明が解決しようとする課題】
【０００６】
しかしながら、特許文献１では、燃料電池システムを一定時間連続して運転したときに水素ガスの排出を実行する構成となっており、すべての運転領域で水素ガスの排出が実行され得る。このため、不純物パージ制御によって不純物とともに排出される水素ガス量が増大して、燃料電池システムの効率が低下してしまうという問題がある。
【０００７】
そこで、本発明では、不純物をパージすることによるシステムの効率の低下を抑制し得る燃料電池システムを提供することを目的とする。
【課題を解決するための手段】
【０００８】
本発明の燃料電池システムは、燃料ガスと空気中の酸素との電気化学反応により発電する燃料電池スタックと、燃料電池スタックの燃料極から排出された排出水素を燃料極に循環させるための循環経路及び循環手段とを備える。また、燃料極に燃料ガスを供給する供給経路及び循環経路を含むアノード系から排出水素を外部に排出するパージ弁と、パージ弁の開度を制御するパージ弁制御手段と、を備える。そして、燃料極に供給される燃料ガス中の窒素分圧を検知する燃料極窒素分圧検知手段と、空気極に供給される空気中の窒素分圧を検知する空気極窒素分圧検知手段とを備え、燃料ガス中の窒素分圧が空気中の窒素分圧以上になる運転領域で、パージ弁制御手段がパージ弁を開放する。
【発明の効果】
【０００９】
本発明によれば、アノード系からの排出水素のパージを、燃料ガス中の窒素分圧が空気中の窒素分圧以上になる運転領域でのみ行うので、全運転領域で行う場合よりもパージの頻度を低減させることができる。このため、燃料の利用効率が向上し、また燃料消費量が低減して、燃料電池システムの効率が向上する。
【図面の簡単な説明】
【００１０】
【図１】第１実施形態の燃料電池システムの構成図である。
【図２】第１実施形態で制御装置が実行する制御ルーチンを説明するためのフローチャートである。
【図３】アクセル操作量及び車速と必要電力の関係を示すマップである。
【図４】目標出力と目標カソードガス圧力との関係を示す図である。
【図５】目標カソードガス圧力及びカソード窒素分圧と目標アノードガス圧力との関係を示す図である。
【図６】ガス温度と飽和水蒸気圧力の関係を示す図である。
【図７】目標アノードガス圧力について説明するための図である。
【図８】パージを実施するか否かを判定する際の基準となる圧力について説明するための図である。
【図９】第１実施形態に係る燃料電池システムの動作を示すタイムチャートである。
【図１０】燃料電池システムの負荷とその負荷で走行する頻度の関係を示す図である。
【図１１】目標アノードガス圧力の設定方法の一例を示す図である。
【図１２】第２実施形態の燃料電池システムの構成図である。
【図１３】第２実施形態で制御装置が実行する制御ルーチンを説明するためのフローチャートである。
【図１４】第２実施形態に係るアノード系内の水蒸気分圧の演算法について説明するための図である。
【発明を実施するための形態】
【００１１】
以下本発明の実施形態を図面に基づいて説明する。
【００１２】
図１は、本発明の第１実施形態に係る燃料電池システムの構成を模式的に示すブロック図である。本燃料電池システムは、例えば、電動モータを駆動源とする移動体である車両に搭載されて、電動モータに電力を供給するものである。
【００１３】
燃料電池システムは、燃料電池スタック１と、燃料ガスを貯蔵する燃料タンク１０と、燃料タンク１０から燃料電池スタック１に燃料ガスを供給するための水素供給流路Ｌ１と、酸化剤ガスを供給するための空気供給流路Ｌ４と、を備える。
【００１４】
また、燃料電池スタック１の燃料極１ａからの排出ガスを燃料極１ａに循環させるための水素循環流路Ｌ２と、水素循環流路Ｌ２から不純物をパージするためのパージ流路Ｌ３と、酸化剤極１ｂからの排出ガスを外部に排出するための空気排出流路Ｌ５と、を備える。
【００１５】
さらに、燃料電池スタック１の出力を取り出すための出力取り出し装置２と、燃料電池システム全体を統合的に制御する制御装置３を備える。
【００１６】
燃料電池スタック１は、固体高分子電解質膜を介して燃料極１ａと酸化剤極１ｂとが対設された燃料電池構造体を、セパレータを介して複数積層することにより構成される。そして、燃料極１ａに燃料ガスが供給されるとともに、酸化剤極１ｂに酸化剤ガスが供給されることにより、燃料ガス及び酸化剤ガスを電気化学的に反応させて電力を発生する。ここでは、燃料ガスとして水素を、酸化剤ガスとして空気を用いる場合について説明する。そして、燃料極１ａと、燃料極１ａに水素を供給するための水素供給流路Ｌ１と、水素循環流路Ｌ２とをアノード系といい、酸化剤極１ｂと、酸化剤極１ｂに空気を供給するための空気供給流路Ｌ４をカソード系という。
【００１７】
水素供給流路Ｌ１には、例えば高圧水素ボンベのような燃料タンク１０の下流にタンク元バルブ１１が設けられている。水素は、燃料タンク元バルブ１１が開状態のときに、その下流に設けられた減圧弁１２によって機械的に所定の圧力に減圧されて水素供給流路Ｌ１へ供給され、さらに下流に設けられた水素調圧バルブ１３によって圧力が調整される。
【００１８】
タンク元バルブ１１の開閉及び水素調圧バルブ１３の開度は、制御装置３によって、燃料電池スタック１の燃料極１ａにおける水素圧力が、例えば、電気化学的な反応に必要となる水素量となる圧力のような所望の圧力になるように制御される。
【００１９】
水素循環流路Ｌ２は、一方の端部が燃料極１ａに接続され、他方の端部が水素調圧バルブ１３と燃料極１ａの間に設けられたエゼクタ１４に接続されている。この水素循環流路Ｌ２には、水素を循環させるための水素循環ポンプ１６が設けられており、これにより燃料電池スタック１からの排出ガスは燃料電池スタック１に再度循環させられる。また、水素循環流路Ｌ２には、パージバルブ１７を備えるパージ流路Ｌ３が接続されている。
【００２０】
ところで、酸化剤ガスとして空気を用いる場合には、酸化剤極１ｂに供給された空気に含まれる不純物、例えば窒素、が燃料極１ａ側に透過することがある。不純物が透過することで燃料極１ａ及び水素循環流路Ｌ２を含む循環系内の不純物濃度が増加すると、水素分圧が低下し、これにより燃料電池スタック１の出力が低下する等の弊害が生じる。そこで、パージバルブ１７の開閉状態を制御して、水素循環流路Ｌ２を流れる循環ガスを必要に応じて外部に排出することで、循環系内の不純物濃度を調整する。
【００２１】
空気供給流路Ｌ４には、コンプレッサ２０が設けられている。このコンプレッサ２０は外部から空気を取り込み、これを加圧して吐出する。加圧された空気は燃料電池スタック１の酸化剤極１ｂに供給される。
【００２２】
空気排出流路Ｌ５には、空気調圧バルブ２１が設けられており、これにより燃料電池スタック１の酸化剤極１ｂにおける空気の圧力が調整される。
【００２３】
出力取り出し装置２は、燃料電池スタック１から例えば電流等の出力を制御するものである。ここで取り出された電力は、車両駆動用の電動モータ等のような電気負荷に供給される。
【００２４】
制御装置３は、燃料電池システムの状態に基づいて各種の演算を実行し、この演算結果を制御信号として各種アクチュエータに出力する。これにより、各種バルブの状態、水素循環ポンプ１６、コンプレッサ２０の回転速度、及び出力取り出し装置２による取り出し電流が制御される。制御装置３としては、例えばＣＰＵと、ＲＯＭと、ＲＡＭと、Ｉ／Ｏインターフェースを主体に構成されたマイクロコンピュータを用いることができる。
【００２５】
また、制御装置３には、システムの状態を検出するために、各種センサ等からの信号が入力される。例えば、燃料電池スタック１に供給される水素及び空気の流量及び圧力や、燃料電池スタック１から実際に取り出される取り出し電流や、燃料電池スタック１の総電圧や、燃料電池スタック１を構成する単位発電セルのセル電圧等をセンサにより検出し、特定する。
【００２６】
ここで、上記燃料電池システムに用いられている各種センサについて説明する。
【００２７】
電圧センサ３２は、燃料電池スタック１の電圧、燃料電池スタック１を構成するセルの電圧、またはセル複数個によって構成されるセル群の電圧を計測するものである。電流センサ３５は、燃料電池スタック１から取り出される電流を計測するものである。
【００２８】
カソード圧力センサ３３は、空気供給流路Ｌ４のコンプレッサ２０より酸化剤極１ｂ側に設けられ、酸化剤極１ｂに供給される空気の圧力を検出するものである。
【００２９】
アノード圧力センサ３４は、燃料供給流路Ｌ１のエゼクタ１４より燃料極１ａ側に設けられ、燃料電池スタック１の燃料極１ａに供給される水素の圧力を検出するものである。
【００３０】
アノード温度センサ３６は、燃料極１ａ出口に設けられており、燃料電池スタック１の燃料極１ａから排出されるガスの温度を検出するものである。
【００３１】
次に、制御装置３による燃料電池システムの制御について説明する。
【００３２】
図２は制御装置３が実行する制御ルーチンを説明するためのフローチャートである。この制御ルーチンは、例えば１０ミリ秒毎のように所定時間毎に実行する。以下、ステップに従って説明する。
【００３３】
ステップＳ１０１では、燃料電池スタック１から取り出したい出力である目標出力を演算する。例えば、車両の動力源として燃料電池スタック１から供給される電力を使用する場合には、図３に示すような、運転者のアクセル操作量及び車速に応じて車両駆動用の電動モータ等の外部負荷に供給すべき電力を求めるマップをコントローラに予め記憶しておき、必要に応じてこのマップを検索する。目標出力を演算したらステップＳ１０２へ進む。
【００３４】
ステップＳ１０２では、目標出力に基づいて、酸化剤極１ｂの目標圧力である目標カソードガス圧力、及び目標流量である目標カソードガス流量を演算する。この演算は、例えば、目標とする圧力及び流量から定まる目標ガス動作点を目標出力から求めるマップを制御装置３に記憶しておき、これを検索することによって行う。
【００３５】
図４は、上記演算の結果得られた、目標出力と目標カソードガス圧力との関係を示す図である。図中の点線が目標カソードガス圧力を示している。さらに、目標カソードガス圧力と、供給される空気中の窒素濃度（通常では大気中の約８０％）から、図中の一点鎖線のようにカソードの窒素分圧を求めることができる。
【００３６】
ステップＳ１０３では、ステップＳ１０１、Ｓ１０２での演算結果に基づいて、アノード系の目標圧力である目標アノードガス圧力、及び目標流量である目標アノードガス流量を設定する。図５は目標カソードガス圧力及びカソード窒素分圧と目標アノードガス圧力との関係を示す図である。ここでは、図中の実線にように、目標カソードガス圧力に対して、燃料電池スタック１の許容膜間差圧範囲内で、かつ水素供給系に用いる部品の耐圧限界以下となる圧力を目標アノードガス圧力設定する。なお、目標アノードガス圧力の設定については、後述する。
【００３７】
ステップＳ１０４では、ステップＳ１０３までに求めた目標出力等に基づいて、水素調圧バルブ１３等の各種バルブの状態と、水素循環ポンプ１６及びコンプレッサ２０の回転速度と、出力取り出し装置２による取り出し電流と、についての制御を実行する。
【００３８】
ステップＳ１０５では、アノード圧力センサ３４及びカソード圧力センサ３３を用いて、アノード系ないしカソード系の圧力を検出する。また、アノード温度センサ３６を用いて水素ガス温度を検出する。
【００３９】
ステップＳ１０６では、アノード系内の水蒸気分圧を演算する。ここでは、アノード系内を水蒸気飽和状態と仮定し、ステップＳ１０５にて検出した水素ガス温度を用いて、図６に示すようなガス温度と飽和水蒸気圧力の関係から、アノード系の水蒸気分圧を演算する。
【００４０】
ステップＳ１０７では、水素循環流路Ｌ２から不純物をパージするアノード不純物ガスパージ処理を実行するか否かを判定する。判定方法について、図７を用いて説明する。
【００４１】
図７の格子範囲は発電に必要となる水素分圧を示しており、点描範囲はステップＳ１０６で演算したアノード水蒸気分圧を示している。また、実線は目標アノードガス圧力を、点線は目標カソードガス圧力を、一点鎖線はカソード窒素分圧を、破線はアノード窒素分圧設定値を、それぞれ示している。
【００４２】
まず、ステップＳ１０３で設定した目標アノードガス圧力と、ステップＳ１０６で演算した水蒸気分圧と、取り出したい出力に応じた発電のために必要となる水素分圧と、から、アノード窒素分圧設定値を設定する。このアノード窒素分圧設定値は、発電に必要な水素分圧を確保して発電を継続することが可能な、アノード系内で保持することが許容される窒素分圧の設定値である。
【００４３】
つまり、燃料電池スタック１の安定した発電を継続させるためには、アノード不純物ガスパージ処理により、アノード系の窒素分圧をアノード窒素分圧設定値以下に制御する必要がある。ここで、カソード窒素分圧がアノード窒素分圧設定値を上回る負荷領域を領域Ｗ１とすると、領域Ｗ１においては、カソード系の不純物ガスが燃料極１ａ側に透過することで、アノード窒素分圧がアノード窒素分圧設定値を超える可能性がある。
【００４４】
そこで、図８に示す領域Ｗ１に対応した圧力範囲にあるか否かを判定し、当該圧力範囲にあると判定した場合にはアノード不純物ガスパージ処理の実行を要として、ステップＳ１０８へ進み、ないと判定した場合は処理を終了する。図８は領域Ｗ１と、アノードガス圧力及びカソードガス圧力の判定基準との関係について説明するための図である。同図に示すように、アノードガス圧力がＰｊａ以上、あるいはカソードガス圧力がＰｊｃ以上となる領域が領域Ｗ１に対応することがわかる。
【００４５】
ステップＳ１０８では、パージバルブ１７を開状態にして、水素循環流路Ｌ２からの不純物ガスパージを実行する。
【００４６】
ここで、目標アノードガス圧力の設定方法について説明する。上述したとおり、目標アノードガス圧力は、目標カソードガス圧力に対して許容膜間差圧かつ水素系の部品耐圧以下、という上限圧力範囲内において任意に設定可能である。しかし、アノード不純物ガスパージ処理を実行する頻度を低くするためには、次のような設定方法が考えられる。
【００４７】
図１０は燃料電池システムの負荷と、その負荷で運転する頻度との関係を示す図である。システムの使用環境によって異なるが、例えば車両で考えた場合に、アイドルや一定速度での巡航等、比較的低負荷での使用頻度と比して、坂道や発進といった比較的高負荷が要求される頻度は低くなることが想定される。そこで、相対的に頻度が低く、上記領域Ｗ１より高負荷な領域Ｗ２を設定する。図１１はこのようにして設定した領域Ｗ２に基づいて目標アノードガス圧力を設定した場合を、図７と同様に示している。すなわち、領域Ｗ２の下限にあたるカソード窒素分圧を求め、その窒素分圧をアノード窒素分圧設定値（図１１中の破線）に設定する。そして、発電に必要な水素分圧、及びアノード水蒸気分圧を加算して、目標アノードガス圧力を設定する。このような設定方法によれば、運転中に出現する頻度を考慮して、アノード不純物ガスパージ処理の頻度を低減することができる。
【００４８】
図９は、燃料電池システム運転中の、アノードガス圧力及びカソードガス圧力の変動と、アノード不純物ガスパージ処理を実行するか否かの判定結果について示したタイムチャートである。
【００４９】
Ｔ１で出力上昇の要求があると、それに従い、アノードガス圧力、カソードガス圧力も上昇させることになる。ここで、アノード系側は、高圧な上流供給水素圧力を水素調圧バルブ１３で調圧するだけなのに対し、カソード系側は、コンプレッサ２０の駆動が必要となるため、圧力上昇に相対的な遅れを伴うことが一般的である。
【００５０】
制御装置３では、検出したアノードガス圧力またはカソードガス圧力が、それぞれ領域Ｗ１に対応する判定圧力Ｐｊａ、あるいはＰｊｃ以上の圧力になっているか否かの判定を行い、いずれかが判定圧力を超えている場合にはアノード不純物ガスパージ処理を実行するよう判定し、判定値をｃｌｅａｒからｓｅｔにする。ここでは、Ｔ２においてアノードガス圧力がＰｊａに達したので、ここでｓｅｔする。
【００５１】
その後、出力要求は一定となり、Ｔ３以降は低下し始める。これに伴い、アノードガス圧力、カソードガス圧力も同様に減圧させるが、空気調圧バルブ２１を開放することで減圧ができるカソード系に対して、アノード系の減圧は相対的な遅れを伴うことが一般的である。制御装置３では、検出したアノードガス圧力とカソードガス圧力が、それぞれ領域Ｗ１に対応する判定圧力ＰｊａとＰｊｃより低い圧力になっているか否かの判定を行い、判定値をｃｌｅａｒする。ここでは、Ｔ４でｃｌｅａｒしている。
【００５２】
上記のような制御を実行することで、アノード不純物ガスパージ処理は特定の負荷領域でのみ実行されることとなる。このため、全負荷領域で当該処理を実行する場合に比べて実行する頻度を低減し、燃料電池システムの燃費向上を図ることができる。
【００５３】
以上により本実施形態では、次のような効果を得ることができる。
【００５４】
（１）空気中の窒素分圧が水素ガス中の窒素分圧以上になる運転領域で、パージバルブ１７を開放してアノード不純物ガスパージ処理を実行するので、全運転領域でパージ処理を許容するシステムに比べて、パージ処理頻度を低減できる。その結果、燃料電池システムの効率を向上させることができる。
【００５５】
（２）目標アノードガス圧力を、燃料電池スタック１に要求される発電量を実現するのに必要な圧力以上に設定するので、パージ処理を実行する運転領域をより高負荷側にすることができる。これにより、燃料電池システムの燃料消費率を低減することができる。
【００５６】
（３）目標アノードガス圧力を、アノード系部品の耐圧強度以下に設定するので、アノード系部品の耐久性を確保できる。
【００５７】
（４）目標アノードガス圧力を、燃料電池スタック１の電解質膜の許容膜間差圧以下となるように設定するので、燃料電池スタック１の耐久性を確保できる。
【００５８】
（５）アノードガス温度が高いほど目標アノードガス圧力を高く設定するので、必要な水素流量を確保できる。このため、水素スタベーションによる燃料電池スタック１の性能低下を防止できる。
【００５９】
第２実施形態について説明する。
【００６０】
図１２は、本発明の第２実施形態に係る燃料電池システムの構成を模式的に示すブロック図である。基本的な構成は図１と同様であるが、燃料極１ａ出口に湿度センサ３７を設けた点が異なる。
【００６１】
図１３は、本実施形態において制御装置３が実行する制御ルーチンを説明するためのフローチャートである。
【００６２】
ステップＳ２０１からＳ２０４と、ステップＳ２０７とステップＳ２０８の処理については、図２のステップＳ１０１からＳ１０４と、ステップＳ１０７とステップＳ１０８の処理と同様なので、説明を省略する。
【００６３】
ステップＳ２０５では、制御装置３はアノード圧力センサ３４とカソード圧力センサ３３を用いて、アノード系及びカソード系の圧力を検出する。また、アノード温度センサ３６とアノード湿度センサ３７を用いて、アノードガス温度とアノードガス湿度も検出する。
【００６４】
ステップＳ２０６では、ステップＳ２０５で検出したアノードガス温度を用いて燃料極１ａ内の飽和水蒸気圧、つまりアノード側の水蒸気分圧を演算する点については第１実施形態と同様であるが、本実施形態では、アノード湿度も考慮して演算する。図１４は本実施形態の飽和水蒸気圧を演算するためのブロック図である。図６と同様にアノードガス温度に基づいて飽和水蒸気圧を求め、これにアノードガス湿度を乗じたものをアノード側の水蒸気分圧とする。
【００６５】
このような構成にすることで、アノード系の水蒸気分圧をより精度よく検出することができ、以ってアノード不純物ガスパージ処理を行う頻度を低減する効果をより高めることができる。
【００６６】
以上により本実施形態によれば、第１実施形態と同様の効果に加え、さらに次のような効果が得られる。
【００６７】
（６）アノードガス湿度が高いほど目標アノードガス圧力を高く設定するので、必要な水素流量を確保できる。このため、水素スタベーションによる燃料電池スタック１の性能低下を防止できる。
【００６８】
なお、本発明は上記の実施の形態に限定されるわけではなく、特許請求の範囲に記載の技術的思想の範囲内で様々な変更を成し得ることは言うまでもない。例えば、上述した実施形態では、アノードオフガスを再び燃料電池スタック１に供給するための循環ポンプ１６と、水素循環流路Ｌ２と、エゼクタ１４とを備える構成としているが、これらを廃して、アノードオフガスをパージバルブ１７との間の閉鎖された経路内に閉じ込める、いわゆるデッドエンドシステムへ適用することも可能である。
【００６９】
また、燃料電池システムは、車両の動力源として搭載されたものに限らず、定置式のシステムであってもよい。
【符号の説明】
【００７０】
１    燃料電池スタック
２    出力取り出し装置
３    制御装置
１０  燃料タンク
１１  タンク元バルブ
１２  減圧弁
１３  水素調圧バルブ
１４  エゼクタ
１６  水素循環ポンプ
１７  パージバルブ
２０  コンプレッサ
２１  空気調圧バルブ
３２  電圧センサ
３３  カソード圧力センサ
３４  アノード圧力センサ
３５  電流センサ
３６  アノード温度センサ
３７  アノード湿度センサ
【図１】
2010287320.tif 000003
【図２】
2010287320.tif 000004
【図３】
2010287320.tif 000005
【図４】
2010287320.tif 000006
【図５】
2010287320.tif 000007
【図６】
2010287320.tif 000008
【図７】
2010287320.tif 000009
【図８】
2010287320.tif 000010
【図９】
2010287320.tif 000011
【図１０】
2010287320.tif 000012
【図１１】
2010287320.tif 000013
【図１２】
2010287320.tif 000014
【図１３】
2010287320.tif 000015
【図１４】
2010287320.tif 000016